(57)【特許請求の範囲】
【請求項１】
フィルタープレス装置において複数枚並べて配設されるフィルタープレートであって、
フィルタープレス装置に配設された際に隣り合うフィルタープレート側を向くことになる表面に、ろ室を形成するための凹部と、その周りに配置された環状のパッキン収容溝とが形成され、
前記パッキン収容溝に環状のパッキンが嵌着されてなるフィルタープレートにおいて、
プレート本体内部に、一端側が前記パッキン収容溝の底部に開口し、他端側が該溝とは別の部分においてプレート本体外面に開口した圧力流体導入路が形成され、
前記圧力流体導入路の他端側が、フィルタープレス装置においてフィルタープレートが複数枚並べて配設されたとき、隣り合うフィルタープレート同士で互いに整合かつ連通するようになる位置であって、前記一端側とは異なる位置に開口していることを特徴とするフィルタープレート。
【請求項２】
複数枚並べて配設されるフィルタープレートとして請求項１記載のフィルタープレートが設けられ、
それらのフィルタープレートの各圧力流体導入路に前記他端側から圧力流体を供給する手段が設けられていることを特徴とするフィルタープレス装置。
【発明の詳細な説明】
【技術分野】
【０００１】
本発明は、固形物と液体との混合物を脱水処理するフィルタープレス装置に関するものである。
【０００２】
また本発明は、そのようなフィルタープレス装置に用いられるフィルタープレートに関するものである。
【背景技術】
【０００３】
例えば水処理施設で発生する汚泥や、食品製造工程で生じる残渣などを脱水処理する装置の一つとして、従来、特許文献１に示されるフィルタープレス装置が知られている。このフィルタープレス装置は、互いに密着・離間可能に並べて配設された複数枚のフィルタープレートを用い、密着させたフィルタープレート同士の間に形成されたろ室に処理対象物を圧送してろ過するように構成されたものである。
【０００４】
この種のフィルタープレス装置に用いられるフィルタープレートは、基本的に、表面にろ室を形成するための凹部およびそれに連通するろ液溝が形成され、その上にろ布が被着されてなるものである。フィルタープレス装置においてはこのような構造のフィルタープレートが、上記表面同士が向き合う状態に並べて配設され、それらのフィルタープレートが互いに密着状態にされると、隣り合うフィルタープレート同士の間に上記凹部によってろ室が形成される。この状態下でろ室に処理対象物が圧送されると、処理対象物がろ布によりろ過され、ろ液が上記ろ液溝を通してプレート外に排出される。そしてその後、各フィルタープレートを離間させることにより、ろ室に残った脱水済みの固形物が排出される。
【０００５】
ここで、フィルタープレート間に形成されたろ室に処理対象物を圧送する際には、その漏れを招かないように、隣り合うフィルタープレート同士が水密（液密）状態を保って密着している必要がある。従来、このフィルタープレートの水密性を高めるための構造として、特許文献２に示されたものが公知となっている。この特許文献２に示された構造は、フィルタープレートのろ室形成用凹部が形成された表面に、該凹部を取り囲む状態に環状のパッキン収容溝が形成され、この溝に環状のパッキンが収容されてなるものである。このようなフィルタープレートを使用する場合は、パッキンをその潰し代（しろ）内で潰し得る比較的小さな力でプレート同士を押圧するだけで、良好な水密性が確保されるようになる。
【先行技術文献】
【特許文献】
【０００６】
【特許文献１】特許第３８０２０１５号公報
【特許文献２】特許第２６８８４７２号公報
【発明の概要】
【発明が解決しようとする課題】
【０００７】
しかし、特許文献２に示された構造においては、使用を重ねるうちに環状パッキンのシール効果が劣化して、フィルタープレート同士の水密性が低下するという問題が認められる。すなわち、この種のフィルタープレートにおいては、互いに密着される際に環状パッキンが押し潰されるので、使用を重ねるうちにパッキンが徐々に変形し、そのためにパッキンのシール効果が劣化するのである。この環状パッキンの変形は、使用に伴う劣化だけに限らず、温度変化によって生じることもある。さらに、ろ布やフィルタープレート本体の変形に起因して、パッキンのシール効果が劣化することもある。
【０００８】
本発明は上記の事情に鑑みてなされたものであり、並設されるフィルタープレート同士の水密性を常に高く確保できるフィルタープレス装置を提供することを目的とする。
【０００９】
また本発明は、そのようなフィルタープレス装置を実現できるフィルタープレートを提供することを目的とする。
【課題を解決するための手段】
【００１０】
本発明によるフィルタープレートは、
前述したように、フィルタープレス装置において複数枚並べて配設されるフィルタープレートであって、
フィルタープレス装置に配設された際に隣り合うフィルタープレート側を向くことになる表面に、ろ室を形成するための凹部と、その周りに配置された環状のパッキン収容溝とが形成され、
前記パッキン収容溝に環状のパッキンが嵌着されてなるフィルタープレートにおいて、
プレート本体内部に、一端側が前記パッキン収容溝の底部に開口し、他端側が該溝とは別の部分においてプレート本体外面に開口した圧力流体導入路が形成されていることを特徴とするものである。
【００１１】
なお、上記構成を有する本発明のフィルタープレートにおいては、圧力流体導入路の他端側が、フィルタープレス装置においてフィルタープレートが複数枚並べて配設されたとき、隣り合うフィルタープレート同士で互いに整合するようになる位置に開口していることが望ましい。
【００１２】
一方、本発明によるフィルタープレス装置は、
複数枚並べて配設されるフィルタープレートとして、本発明によるフィルタープレートが設けられ、
それらのフィルタープレートの各圧力流体導入路に前記他端側から圧力流体を供給する手段が設けられていることを特徴とするものである。
【００１３】
なお上述した環状パッキンは、隣り合うフィルタープレートの一方だけに設けられていても、フィルタープレート間の水密性向上に寄与するものである。したがって本発明のフィルタープレートにおいては、フィルタープレス装置に配設された際に隣り合うフィルタープレート側を向くことになる２つの表面のうち、片方だけにパッキン収容溝が形成されて、そこに環状パッキンが収容されていてもよい。また、本発明のフィルタープレス装置においては、本発明によるフィルタープレート２枚の間に、本発明外のフィルタープレート、つまり環状パッキンは備えないフィルタープレートが配設されていても構わない。したがってそのような状態も、「複数枚並べて配設されるフィルタープレートとして、本発明によるフィルタープレートが設けられる」という概念に含むものとする。
【発明の効果】
【００１４】
本発明のフィルタープレートによれば、プレート本体内部に、一端側がパッキン収容溝の底部に開口し、他端側が該溝とは別の部分においてプレート本体外面に開口した圧力流体導入路が形成されたことにより、この圧力流体導入路の他端側からその内部に加圧空気等の圧力流体を導入することが可能になる。このように導入された圧力流体は、パッキン収容溝の底部に吐出して、該溝に嵌着されている環状のパッキンを外側に、つまり隣り合うフィルタープレート側に押圧するようになる。そこで、このパッキン自体が変形していたり、あるいはろ布やフィルタープレート本体が変形したりしていても、パッキンによるシール効果が良好に保たれるので、並設されるフィルタープレート同士の水密性が常に高く確保されるようになる。
【００１５】
本発明によるフィルタープレス装置においては、上述した本発明によるフィルタープレートが設けられた上で、それらのフィルタープレートの各圧力流体導入路にその他端側から圧力流体を供給する手段が設けられているので、圧力流体導入路に圧力流体を導入して、並設されるフィルタープレート同士の水密性を常に高く確保可能となる。
【００１６】
なお、フィルタープレートに設けられる圧力流体導入路の他端側は、各プレート毎にそれぞれ耐圧ゴムホース等の配管に接続され、その配管を介してコンプレッサ等の圧力流体供給源に接続されてもよい。ただしその場合は、１枚のフィルタープレート毎に配管が接続されるので、配管構造が複雑になりやすい。
【００１７】
一方、本発明のフィルタープレートにおいて特に、圧力流体導入路の他端側が、フィルタープレス装置においてフィルタープレートが複数枚並べて配設されたとき、隣り合うフィルタープレート同士で互いに整合するようになる位置に開口している場合は、複数のフィルタープレートが密着した状態になると、それらの内部に共通の圧力流体導入路が形成されるようになる。そこでこの場合は、最低限１つのフィルタープレートの圧力流体導入路に圧力流体を供給するだけで、全てのフィルタープレートに圧力流体を導入可能となるので、フィルタープレート外の配管構造を極めて簡潔なものにすることができる。
【図面の簡単な説明】
【００１８】
【図１】本発明の一実施形態によるフィルタープレス装置の概略構成を示す一部破断側面図
【図２】本発明の一実施形態によるフィルタープレートを示す一部破断正面図
【図３】上記フィルタープレートの平断面図
【図４】図１のフィルタープレス装置の要部を示す正面図
【図５】図４のＡ−Ａ線に沿った部分の断面図
【図６】本発明の別の実施形態によるフィルタープレートを示す断面図
【発明を実施するための形態】
【００１９】
以下、図面を参照して本発明の実施形態を詳細に説明する。図１は本発明の一実施形態によるフィルタープレス装置１の概略構成を示す一部破断側面図であり、また図２および図３は各々、そこに用いられているフィルタープレートを示す一部破断正面図、平断面図である。
【００２０】
図１に示されるようにこのフィルタープレス装置１は、厚さ方向（図中の左右方向）に互いに１枚置きに並設された複数枚のフィルタープレート１０および２０と、これらのフィルタープレート１０および２０を図１中の左右方向に移動自在に保持するフィルタープレート保持機構３０と、フィルタープレート１０および２０を上記方向に移動させて互いに密着・離間させる締付機構４０と、原液供給管３２と、加圧した空気を貯えるエアチャンバを備えたコンプレッサ３３と、このコンプレッサ３３からフィルタープレート１０および２０に加圧空気を供給する空気配管３５と、この空気配管３５に介設された例えば電磁弁からなる空気供給制御弁３６とを有している。なおこの図１においては、複数枚のフィルタープレート１０および２０のうち一部のものを中央部で破断して示してある。
【００２１】
上記締付機構４０は、例えばフィルタープレート１０および２０と同様に図１中の左右方向に移動自在に保持された移動台４１と、この移動台４１に連結されたシリンダ４２と、このシリンダ４２を往復移動させる油圧装置４３等から構成されている。
【００２２】
ここで、フィルタープレート１０および２０について図２および図３を参照して詳しく説明する。これらの図は、フィルタープレート１０および２０のうち、本発明によるフィルタープレート１０を示している。なお図３は、このフィルタープレート１０の中央部の断面形状を示すものである。ここに示される通りフィルタープレート１０は、中央部に原液通過孔１１ａが設けられると共に、一つの隅部に圧力流体導入路１１ｂが形成されたプレート本体１１と、ゴム等の弾性体から形成されてプレート本体１１の左右各表面１１ｃの上に取り付けられた環状パッキン１２および１３と、これらの環状パッキン１２および１３の上からプレート本体表面１１ｃの上にそれぞれ被着、固定されたろ布１４と、上記原液通過孔１１ａ内において互いに嵌合して２枚のろ布１４を固定するろ布固定具１５、１６とから構成されている。
【００２３】
上記プレート本体１１は例えばポリプロピレン等の合成樹脂から形成されたものであり、その中央部には、後述するようにしてろ室を構成する凹部１１ｄが形成されている。またこの凹部１１ｄの底面に当たる位置においてプレート本体表面１１ｃにはろ液溝１１ｅが形成され、さらにプレート本体１１には、上記ろ液溝１１ｅに連通して本体端面に開口するろ液排出通路１１ｆが形成されている。また２つのプレート本体表面１１ｃには、上記凹部１１ｄの外側の位置において環状のパッキン収容溝１１ｇ（後述する図４、５も参照）が形成されており、前述した環状パッキン１２は各々このパッキン収容溝１１ｇの中に嵌着されている。
【００２４】
図４は、フィルタープレート１０の圧力流体導入路１１ｂが形成されている部分周辺の正面形状を、ろ布１４を省いて示すものであり、また図５は、図４のＡ−Ａ線に沿った部分のフィルタープレート１０、２０の断面形状を示すものである。以下、これらの図４および図５に示されている部分について説明する。圧力流体導入路１１ｂはプレート本体１１を貫通する状態に形成されている。そしてこの圧力流体導入路１１ｂの周りの位置において、プレート本体１１の２つの表面１１ｃにはそれぞれ環状のパッキン収容溝１１ｈが形成されており、前述した環状パッキン１３はこれらのパッキン収容溝１１ｈの中に各々嵌着されている。
【００２５】
圧力流体導入路１１ｂのプレート厚さ方向中央位置近辺には、細い圧力流体導入路１１ｊが連通している。この圧力流体導入路１１ｊの先端部分は２つの圧力流体導入路１１ｋに分岐している。これら２つの圧力流体導入路１１ｋはそれぞれ、環状のパッキン収容溝１１ｇの底部に開口している。ここで、１つのパッキン収容溝１１ｇに関わる構成について考えれば、圧力流体導入路１１ｋ、１１ｊおよび１１ｂによって１系統の圧力流体導入路が構成され、その一端側（圧力流体導入路１１ｋの先端側）がパッキン収容溝１１ｇの底部に開口し、他端側（圧力流体導入路１１ｂの両端側）がフィルタープレート１０の外面に開口していることになる。
【００２６】
また本実施形態では特に、圧力流体導入路１１ｊの途中部分から２つの圧力流体導入路１１ｍが分岐し、それらの圧力流体導入路１１ｍの先端側はパッキン収容溝１１ｈの底部に開口している。
【００２７】
一方フィルタープレート２０は、プレート本体１１とほぼ同様の外形形状を有するプレート本体２１と、ろ布１４と同様のろ布２４と、ろ布固定具１５、１６と同様のろ布固定具（図示せず）とから構成されており、環状パッキン１２および１３に相当するパッキンは備えていない。なお図５における「２１ｃ」、「２１ｄ」および「２１ｅ」はそれぞれ、プレート本体１１の表面１１ｃ、凹部１１ｄおよびろ液溝１１ｅとそれぞれ対応する表面、凹部およびろ液溝である。また図１に示すようにこのフィルタープレート２０にも、フィルタープレート１０の原液通過孔１１ａと同様の原液通過孔２１ａが形成されている。またろ布１４および２４の、圧力流体導入路１１ｂと整合する部分は穿孔されている。
【００２８】
このフィルタープレート２０を構成するプレート本体２１においては、上に述べた圧力流体導入路１１ｂ、１１ｊおよび１１ｋのうち、圧力流体導入路１１ｂに相当する圧力流体導入路２１ｂだけが設けられている。すなわちこの圧力流体導入路２１ｂは、プレート本体２１を貫通するものとされ、フィルタープレス装置１においてフィルタープレート１０とフィルタープレート２０とが密着された際には、フィルタープレート１０の圧力流体導入路１１ｂと整合する位置に形成されている。図１に示した空気配管３５は、最も外側に配置されたフィルタープレート２０の圧力流体導入路２１ｂに連通されている。
【００２９】
次に図１に戻って、このフィルタープレス装置１の作用について説明する。固形物と液体との混合物である原液（処理対象物）を本装置により脱水処理する際には、互いに離間していたフィルタープレート１０、２０が、締付機構４０を作動させることにより、同図に示すように互いに密着する状態とされる。
【００３０】
この状態になると、フィルタープレート１０、２０の各凹部１１ｄ、２１ｄ（図５参照）によってろ室５０が形成される。これらのろ室５０は、フィルタープレート１０の原液通過孔１１ａおよびフィルタープレート２０の原液通過孔２１ａを通して違いに連通することになる。なお、このように複数枚並設されるフィルタープレート１０、２０のうち、図中の最左端および最右端のものとしてはフィルタープレート２０が用いられている。そして最左端のフィルタープレート２０の原液通過孔２１ａには、原液供給管３２が連通されている。他方、最右端のフィルタープレート２０においては、原液通過孔２１ａおよび圧力流体導入路２１ｂは設けられていない。
【００３１】
上記の状態とされた後、原液供給管３２から原液がろ室５０内に向けて圧送される。この原液は、上記原液通過孔２１ａおよび１１ａを通過して全部のろ室５０内に送り込まれ、フィルタープレート１０のろ布１４、フィルタープレート２０のろ布２４によりろ過される。フィルタープレート１０のろ布１４を通過した液体（ろ液）は、ろ液溝１１ｅにより捕捉、集液され、ろ液排出通路１１ｆからフィルタープレート１０外に排出される。同様に、フィルタープレート２０のろ布２４を通過したろ液は、ろ液溝２１ｅにより捕捉、集液され、上記ろ液排出通路１１ｆと同様のろ液排出通路（図示せず）からフィルタープレート２０外に排出される。こうしてフィルタープレート１０、２０外に排出されたろ液は、図示外のろ液集液機構によって集められ、所定の槽などに送られる。
【００３２】
ろ室５０内には、以上のように脱水されて含水率が低下した固形物成分（脱水ケーキ）が残ることになる。その後締付機構４０を作動させることにより、フィルタープレート１０、２０が互いに離間する状態とされる。それによりフィルタープレート１０、２０の間から脱水ケーキが落下し、その脱水ケーキは図示外の脱水ケーキ回収機構によって回収される。
【００３３】
なお本発明のフィルタープレス装置においても従来装置と同様、脱水ケーキを掻き取るスクレーパや、ろ布１４および２４の目詰まりを解消する洗浄装置などが適宜設けられてもよい。また本発明のフィルタープレス装置に適用されるろ液集液機構や、脱水ケーキ回収機構や、原液を圧送する手段に特に制限は無く、従来公知のものを用いればよい。
【００３４】
また、ろ室５０内に原液が供給された後、互いに密着しているフィルタープレート１０、２０をさらにプレート間の間隔を狭める方向に押圧する圧搾機構を付加して、フィルタープレート同士の密着効果および脱水効果を向上させるようにしてもよい。そのような圧搾機構としては、例えば並設されたフィルタープレート１０、２０の端部や中間部に配設されて、プレート並び方向に膨張するダイヤフラムを備えた機構などが挙げられる。さらに、このフィルタープレス装置１に供給する原液に、必要に応じて凝集剤を添加するようにしてもよい。
【００３５】
次に、フィルタープレート１０、２０同士の間の水密性を常に高く確保する点について説明する。このフィルタープレス装置１においては、上述のように原液がろ室５０内に向けて圧送される前に、それまで閉じられていた制御弁３６が開状態にされる。それにより、コンプレッサ３３のエアチャンバに貯留されていた加圧空気が空気配管３５を通して、図１中で最左端のフィルタープレート２０の圧力流体導入路２１ｂに送り込まれる。
【００３６】
フィルタープレート１０の圧力流体導入路１１ｂと、フィルタープレート２０の圧力流体導入路２１ｂとは互いに整合する位置に設けられているので、図１の状態下では、これらの圧力流体導入路１１ｂおよび２１ｂが連続した１本の通路（ヘッダー管）を構成している。上述のように送り込まれた加圧空気はこの通路を流れ、フィルタープレート１０においてはそこから分岐した圧力流体導入路１１ｊおよび１１ｋまで流入する。そこでこの加圧空気は、圧力流体導入路１１ｋの先端からパッキン収容溝１１ｇに流出して、そこに収容されている環状パッキン１２を外側に押圧する。なお、環状パッキン１２はパッキン収容溝１１ｇに嵌着されているから、上記加圧空気は本質的にプレート本体１１外に漏れ出ることがなく、環状パッキン１２を強く押圧可能である。
【００３７】
このように押圧された環状パッキン１２は、ろ布１４および２４を介して隣のフィルタープレート２０に当接するので、ろ室５０を形成する凹部１１ｄおよび２１ｄの周りにおいて、フィルタープレート１０とフィルタープレート２０との間の水密性が高く確保される。そこで、その後に原液がろ室５０に圧送され、あるいは場合によってはそれに加えてさらに前述の圧搾機構が作動された際にも、原液がフィルタープレート１０、２０の外に漏れ出ることが確実に防止される。
【００３８】
そして、このように環状パッキン１２を押圧して水密性を上げるのであれば、この環状パッキン１２が使用を重ねたため、あるいは温度変化のために変形していても、さらにはプレート本体１１やろ布１４の方が変形していても、それに拘わらず常に上記水密性を高く確保可能となる。
【００３９】
また本実施形態においては特に、上記圧力流体導入路１１ｊから分岐した圧力流体導入路１１ｍがパッキン収容溝１１ｈの底部に開口しているので、そこに収容されている環状パッキン１３も環状パッキン１２と同様に加圧空気によって押圧される。このように押圧された環状パッキン１３は、ろ布１４および２４を介して隣のフィルタープレート２０に当接するので、圧力流体導入路１１ｂと圧力流体導入路２１ｂとの間の気密性も高く確保される。そこで、供給された加圧空気が圧力流体導入路１１ｂと圧力流体導入路２１ｂとの間から漏れ出てしまうことが防止される。
【００４０】
次に図６を参照して、本発明の別の実施形態によるフィルタープレート１１０について説明する。なおこの図６において、図１〜５中の要素と同等の要素には同番号を付してあり、それらについての説明は特に必要のない限り省略する。フィルタープレス装置においてこのフィルタープレート１１０は、本発明外のフィルタープレート１２０と１枚ずつ交互に配して用いられるものである。
【００４１】
このフィルタープレート１１０は図５に示したフィルタープレート１０と比べると、プレート本体１１において圧力流体導入路１１ｂが設けられず、圧力流体導入路１１ｊがそのままプレート本体１１の端面に開口している点が異なるものである。この圧力流体導入路１１ｊには一例として雌ねじが形成されており、そこに耐圧ゴムホース１３５が螺合して接続される。この耐圧ゴムホース１３５は、例えば図１に示した空気配管３５等を介してコンプレッサ３３に接続され、それにより該耐圧ゴムホース１３５から圧力流体導入路１１ｊに加圧空気が供給される。そこで本実施形態においても、パッキン収容溝１１ｇに収容されている環状パッキン１２が加圧空気によって外側に押圧され、図５の構造におけるとの同様に、フィルタープレート１１０とフィルタープレート１２０との間の水密性が常に高く確保される。
【００４２】
本実施形態のフィルタープレート１１０は、１枚のプレート毎に上記耐圧ゴムホース１３５等の配管に接続されるので、図５に示したフィルタープレート１０と比べると、複雑な配管構造を必要とするものである。その反面このフィルタープレート１１０は、フィルタープレート１２０との間で加圧空気が漏れることに対処する必要はないので、図５に示した環状パッキン１３等を設ける必要がないという利点が有る。
【００４３】
なお、仮に環状パッキン１２が設けられない場合は、フィルタープレート１１０、１２０のいわゆる框（かまち）部、つまり図６にＬ２として示す部分が、互いに強く密着している必要がある。したがってその場合は図１の締付機構４０等により、Ｐ１＝〔原液圧送によるろ室内部圧力〕に、Ｐ２＝〔框部に必要な面圧を作用させる圧力〕を加えた圧力をフィルタープレート１１０、１２０に作用させる必要がある。それに対して、環状パッキン１２によって水密性を確保する場合は、上記圧力Ｐ２の代わりに、図６にＬ１で示す狭い範囲において〔環状パッキン１２を必要潰し代だけ潰す圧力〕を力Ｐ１に加えただけの比較的小さい圧力をフィルタープレート１１０、１２０に作用させればよい。また、環状パッキン１２によって水密性を確保する場合は、ろ布の馴染み等により框面の圧力が低下するようなことがあっても、圧力流体により環状パッキンが押し出されるので、必要なシール面圧を維持することができる。
【００４４】
以上説明した実施形態のフィルタープレート１０、１１０においては、その両表面にそれぞれ環状パッキン１２が配設されているが、片方の表面だけにこの環状パッキン１２を配設するようにしてもよい。その場合は当然、圧力流体導入路は、その環状パッキン１２を収容している１つのパッキン収容溝の底部に開口するように形成すればよい。本発明のフィルタープレートをそのように構成した場合は、複数枚の該フィルタープレートを相隣接する状態に並設すればよく、間に本発明外のフィルタープレート（図５のフィルタープレート２０や図６のフィルタープレート１２０）を配置する必要は無くなる。
【００４５】
また以上は、圧力流体として加圧空気が用いられる実施形態について説明したが、本発明のフィルタープレス装置においては加圧空気に限らずその他の圧力流体、例えば加圧水等を用いることも可能である。
【符号の説明】
【００４６】
１      フィルタープレス装置
１０、１１０    フィルタープレート
１１    プレート本体
１１ａ    原液通過孔
１１ｂ、１１ｊ、１１ｋ、１１ｍ    圧力流体導入路
１１ｃ    プレート本体の表面
１１ｄ    凹部
１１ｅ    ろ液溝
１１ｆ    ろ液排出通路
１１ｇ、１１ｈ    パッキン収容溝
１２、１３    環状パッキン
１４    ろ布
３２    原液供給管
３３    コンプレッサ
３５    空気配管
３６    制御弁
４０    締付機構
５０    ろ室
１３５  耐圧ゴムホース
【図１】
0005604163.tif 000002
【図２】
0005604163.tif 000003
【図３】
0005604163.tif 000004
【図４】
0005604163.tif 000005
【図５】
0005604163.tif 000006
【図６】
0005604163.tif 000007